(57)【要約】【課題】  ユーザが容易に無線接続設定を行うことのできる携帯型記憶装置を提供する。【解決手段】  まずユーザがＵＳＢメモリ３０をアクセスポイント装置に接続すると、アクセスポイント装置は接続設定情報３２ｂを生成し、これをＵＳＢメモリ３０の記憶部３２に記憶させる。次にユーザがＵＳＢメモリ３０をＰＣに接続すると、ＵＳＢメモリ３０の記憶部３２に記憶された接続設定プログラム３２ａがＰＣのオートラン機能により実行され、ＵＳＢメモリ３０に記憶された接続設定情報３２ｂをＰＣの接続設定に反映させると共に、ＰＣに割り当てられたＭＡＣアドレス３２ｃを読み込み、ＵＳＢメモリ３０の記憶部３２に記憶する。更に、ユーザがＵＳＢメモリ３０をアクセスポイント装置に接続すると、アクセスポイント装置はＵＳＢメモリ３０に記憶されたＭＡＣアドレスを登録し、無線通信を行うことが可能となる。【選択図】      図２
2006333103.tif 000002
【特許請求の範囲】
【請求項１】
第１の無線機器、及び前記第１の無線機器と無線通信を行う第２の無線機器に接続する接続手段と、
前記接続手段が前記第１の無線機器に接続された際に、前記第２の無線機器が前記第１の無線機器と無線通信を行う際に必要な接続設定情報を記憶する記憶手段と、
前記接続手段が前記第２の無線機器に接続された際に、前記第２の無線機器に前記接続設定情報を反映させる接続設定手段と
を備えることを特徴とする携帯型記憶装置。
【請求項２】
請求項１記載の携帯型記憶装置において、
前記接続手段が前記第２の無線機器に接続された際に、前記第２の無線機器に固有の識別子を前記第２の無線機器から読込み、前記記憶手段に記憶させる固有識別子読込手段
をさらに備え、
前記接続手段は、前記固有識別子読込手段により前記識別子が前記記憶手段に記憶された後、前記第１の無線機器に接続された際に、前記第１の無線機器が前記識別子を読込むことを可能とすること
を特徴とする携帯型記憶装置。
【請求項３】
前記識別子は、前記第２の無線機器に割り当てられたＭＡＣアドレスであること
を特徴とする請求項２記載の携帯型記憶装置。
【請求項４】
前記接続設定情報は、前記第１の無線機器及び前記第２の無線機器が無線通信を行う際に使用する暗号鍵を含むこと
を特徴とする請求項１記載の携帯型記憶装置。
【請求項５】
前記第１の無線機器は、前記第２の無線機器と無線接続を行うアクセスポイント装置であること
を特徴とする請求項１記載の携帯型記憶装置。
【請求項６】
情報処理装置を制御する制御プログラムにおいて、
第１の無線機器に第２の無線機器が無線通信接続を行う際の無線設定を行う接続設定プログラムを携帯型記憶装置に記憶させる機能を備え、
前記接続設定プログラムは、
前記第１の無線機器から前記携帯型記憶装置に読込まれた、前記第１の無線機器に前記第２の無線機器が無線通信接続を行う際に必要な接続設定情報を、前記第２の無線機器に反映させる接続設定機能
を備えることを特徴とする制御プログラム。
【請求項７】
請求項６記載の制御プログラムにおいて、前記接続設定プログラムは、
前記第２の無線機器に固有の識別子を前記第２の無線機器から読込み、前記携帯型記憶装置に記憶させる固有識別子読込機能
をさらに備えることを特徴とする制御プログラム。
【請求項８】
前記識別子は、前記第２の無線機器に割り当てられたＭＡＣアドレスであること
を特徴とする請求項７記載の制御プログラム。
【請求項９】
前記接続設定情報は、前記第１の無線機器及び前記第２の無線機器が無線通信を行う際に使用する暗号鍵を含むこと
を特徴とする請求項６記載の制御プログラム。
【請求項１０】
前記第１の無線機器は、前記第２の無線機器と無線通信を行うアクセスポイント装置であること
を特徴とする請求項６記載の制御プログラム。
【請求項１１】
第１の無線機器に第２の無線機器が無線通信接続を行うための接続設定を行う接続設定方法において、
前記第２の無線機器が前記第１の無線機器と無線通信を行う際に必要な接続設定情報を携帯型記憶装置に記憶する接続設定情報記憶ステップと、
前記携帯型記憶装置に記憶された接続設定プログラムにより、前記接続設定情報記憶ステップで前記携帯型記憶装置に記憶された前記接続設定情報を前記第２の無線機器に反映させる接続設定情報反映ステップと
を備えることを特徴とする接続設定方法。
【請求項１２】
請求項１１記載の接続設定方法において、
前記第２の無線機器が前記接続設定情報を生成する接続情報生成ステップ
をさらに備え、
前記接続設定情報記憶ステップは、前記接続情報生成ステップにより生成された前記接続設定情報を携帯型記憶装置に記憶すること
を特徴とする接続設定方法。
【請求項１３】
請求項１１記載の接続設定方法において、
前記接続設定プログラムにより、前記第２の無線機器に固有の識別子を前記第２の無線機器から前記携帯型記憶装置に記憶する識別子記憶ステップと、
前記識別子記憶ステップにより前記携帯型記憶装置に記憶された前記識別子を前記第１の無線機器に登録して前記第１の無線機器及び前記第２の無線機器間の無線通信を可能とする識別子登録ステップと
をさらに備えることを特徴とする接続設定方法。
【請求項１４】
前記識別子は、前記第２の無線機器に割り当てられたＭＡＣアドレスであること
を特徴とする請求項１１記載の接続設定方法。
【請求項１５】
前記接続設定情報は、前記第１の無線機器及び前記第２の無線機器が無線通信を行う際に使用する暗号鍵を含むこと
を特徴とする請求項１１記載の接続設定方法。
【請求項１６】
前記第１の無線機器は、前記第２の無線機器と無線通信を行うアクセスポイント装置であること
を特徴とする請求項１１記載の接続設定方法。
【発明の詳細な説明】
【技術分野】
【０００１】
本発明は、ユーザが携帯可能な記憶装置である携帯型記憶装置、情報処理装置を制御してこの携帯型記憶装置に所定のプログラムを記憶させる制御プログラム、及び無線通信にかかる接続設定方法に関する。
【背景技術】
【０００２】
近年、例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０１．１１規格の無線ＬＡＮ（Ｌｏｃａｌ  Ａｒｅａ  Ｎｅｔｗｏｒｋ）等の無線通信システムが、企業や大学等に限らず、広く家庭内にも普及してきている。このような無線システムは、有線によるシステムと比して配線が不要で拡張性も高いが、一方で電波が届く範囲であれば何処でもデータを受信でき、通信先の制限が困難であるため、セキュリティの確保が重要な問題となっている。例えばＩＥＥＥ８０２．１１規格では、例えばＭＡＣ（Ｍｅｄｉａ  Ａｃｃｅｓｓ  Ｃｏｎｔｒｏｌ）アドレスによるアクセス制御、ＳＳＩＤ（Ｓｅｒｖｉｃｅ  Ｓｅｔ  Ｉｄｅｎｔｉｆｉｃａｔｉｏｎ）によるアクセス制御、ＷＥＰ（Ｗｉｒｅｄ  Ｅｑｕｉｖａｌｅｎｔ  Ｐｒｉｖａｃｙ）キーによる通信データの暗号化等により、セキュリティ対策を図っている（例えば、特許文献１参照）。特許文献１では、サービス提供者がＩＣカードを発行し、当該ＩＣカードに記憶されたＳＳＩＤやＷＥＰキー等の接続設定情報を、ＩＣカードと共に例えばＣＤ−ＲＯＭ等の形でサービス利用者に配布する接続設定ソフトウェアを実行することによりＯＳ（Ｏｐｅｒａｔｉｏｎ  Ｓｙｓｔｅｍ）に反映させて接続設定を行う手法が記載されている。
【特許文献１】特開２００５−０５１５２７号公報
【発明の開示】
【発明が解決しようとする課題】
【０００３】
しかしながら、特許文献１記載の手法は、例えばＣＤ−ＲＯＭ等の形でサービス提供者から配布される接続設定ソフトウェアやＭＡＣアドレス書込ソフトウェア等を、サービス利用者の端末機器にインストールする必要がある。ユーザにとって、特に例えば家庭内でＰＣ（Ｐｅｒｓｏｎａｌ  Ｃｏｍｐｕｔｅｒ）に詳しくないユーザが無線接続設定を行う場合等には、無線接続の設定を行うためにこのようなプログラムをインストールし、その上で当該プログラムを実行してＩＣカード上の接続設定情報を読み込ませて無線接続設定を行うという作業は非常に煩雑な作業だと考えられる。
【０００４】
一方、このような所定のプログラムを使用せずに、ユーザが直接ＳＳＩＤやＷＥＰキー、ＭＡＣアドレス等を入力する方法も、一般の無線接続設定に詳しくないユーザにとっては煩雑な作業であり、また入力ミス等を伴う可能性もある。
【０００５】
そこで本発明は、ユーザが容易に無線接続設定を行うことのできる携帯型記憶装置を提供することを目的とする。
【課題を解決するための手段】
【０００６】
上記目的を達成するために、本発明の携帯型記憶装置は、第１の無線機器、及び前記第１の無線機器と無線通信を行う第２の無線機器に接続する接続手段と、前記接続手段が前記第１の無線機器に接続された際に、前記第２の無線機器が前記第１の無線機器と無線通信を行う際に必要な接続設定情報を記憶する記憶手段と、前記接続手段が前記第２の無線機器に接続された際に、前記第２の無線機器に前記接続設定情報を反映させる接続設定手段とを備えることを特徴とする。
【０００７】
本発明の制御プログラムは、情報処理装置を制御する制御プログラムにおいて、第１の無線機器に第２の無線機器が無線通信接続を行う際の無線設定を行う接続設定プログラムを携帯型記憶装置に記憶させる機能を備え、前記接続設定プログラムは、前記第１の無線機器から前記携帯型記憶装置に読込まれた、前記第１の無線機器に前記第２の無線機器が無線通信接続を行う際に必要な接続設定情報を、前記第２の無線機器に反映させる接続設定機能を備えることを特徴とする。
【０００８】
本発明の接続設定方法は、第１の無線機器に第２の無線機器が無線通信接続を行うための接続設定を行う接続設定方法において、前記第２の無線機器が前記第１の無線機器と無線通信を行う際に必要な接続設定情報を携帯型記憶装置に記憶する接続設定情報記憶ステップと、前記携帯型記憶装置に記憶された接続設定プログラムにより、前記接続設定情報記憶ステップで前記携帯型記憶装置に記憶された前記接続設定情報を前記第２の無線機器に反映させる接続設定情報反映ステップとを備えることを特徴とする。
【発明の効果】
【０００９】
本発明によれば、ユーザが容易に無線接続設定を行うことのできる携帯型記憶装置を提供することができる。
【発明を実施するための最良の形態】
【００１０】
以下、本発明の携帯型記憶装置、制御プログラム、及び接続設定方法について、図面を参照しながら説明する。
【実施例１】
【００１１】
図１は、本発明の携帯型記憶装置の実施例であるＵＳＢ（Ｕｎｉｖｅｒｓａｌ  Ｓｅｒｉａｌ  Ｂｕｓ）メモリを使用する無線通信システムの概略構成を示す図である。本無線通信システムは、アクセスポイント装置１０（第１の無線機器）と、アクセスポイント装置１０と無線ＬＡＮにより無線通信を行うＰＣ２０乃至２２（第２の無線機器、情報処理装置）と、アクセスポイント装置１０及びＰＣ２０乃至２２にＵＳＢインタフェースにより接続することのできるＵＳＢメモリ３０とから構成される。
【００１２】
アクセスポイント装置１０は、ＰＣ２０乃至２２と無線ＬＡＮにより無線通信を行い、ＰＣ２０乃至２２を例えばインターネット（図示せず）等のネットワークに接続させることができる。また、アクセスポイント装置１０はＰＣ２０乃至２２と無線通信を行う際に使用するＳＳＩＤ及びＷＥＰキーをランダムに生成する機能を有するとともに、ＵＳＢインタフェースに接続されたＵＳＢメモリ３０に当該ＳＳＩＤ及びＷＥＰキーを保存する機能を有している。また、ＵＳＢメモリ３０がＰＣ２０乃至２２のＭＡＣアドレスを保存している場合には、これをＵＳＢメモリ３０から読み込んで登録し、この登録されたＭＡＣアドレス以外の機器からの無線接続を許可しないＭＡＣアドレスフィルタリング機能も有する。
【００１３】
ＰＣ２０乃至２２は、ＵＳＢインタフェースを有していると共に、インストールされているＯＳ（Ｏｐｅｒａｔｉｏｎ  Ｓｙｓｔｅｍ）が当該ＵＳＢインタフェースにＵＳＢメモリ３０が接続された際に、ＵＳＢメモリ３０に格納されたプログラムを実行するオートラン機能を有している。より具体的には、ＵＳＢメモリ３０が接続された際に、オートラン機能によりＵＳＢメモリ３０に格納された接続設定プログラムを実行して、アクセスポイント装置１０により生成されたＳＳＩＤ及びＷＥＰキーをＯＳの接続設定に反映させ、無線ＬＡＮの接続設定を行うとともに、ＰＣ２０乃至２２のＭＡＣアドレスをＵＳＢメモリ３０に記憶させることができる。また以下の説明では、ＰＣ２０には、接続設定プログラムを生成してＵＳＢメモリ３０に記憶する制御プログラムがインストールされているものとする。
【００１４】
ＵＳＢメモリ３０は、先述の通りＵＳＢインタフェースにより、アクセスポイント装置１０及びＰＣ２０乃至２２に接続することができる。例えばＰＣ２０上で実行される所定の制御プログラムにより、接続設定プログラムが記憶されると共に、アクセスポイント装置１０に接続されると、アクセスポイント装置１０が生成するＳＳＩＤ及びＷＥＰキーを記憶する。また、ＰＣ２０乃至２２に接続された際に、オートラン機能により実行される接続設定プログラムにより、ＰＣ２０乃至２２のＭＡＣアドレスを格納する。
【００１５】
次に、本無線通信システムでの無線接続設定方法の概略を説明する。まずユーザが、ＵＳＢメモリ３０をアクセスポイント装置１０に接続すると、アクセスポイント装置１０がＷＥＰキー及びＳＳＩＤを生成してこれをＵＳＢメモリ３０に記憶させる。次に、ユーザがＵＳＢメモリ３０をアクセスポイント装置１０と無線通信を行いたいＰＣ（ここでは、ＰＣ２１とする）に接続すると、ＵＳＢメモリ３０に記憶された接続設定プログラムがＰＣ２１の有するオートラン機能により実行され、ＵＳＢメモリ３０に記憶されたＷＥＰキー及びＳＳＩＤをＯＳの接続設定に反映させると共に、ＰＣ２１に割り当てられたＭＡＣアドレスを読み込み、ＵＳＢメモリ３０に記憶させる。最後に、ユーザがＵＳＢメモリ３０をアクセスポイント装置１０に再度接続すると、アクセスポイント装置１０はＵＳＢメモリ３０に記憶されたＰＣ２１のＭＡＣアドレスを登録する。以上の処理により、アクセスポイント装置１０とＰＣ２１との間での無線接続が可能となる。
【００１６】
続いて、ＵＳＢメモリ３０の構成について説明する。図２は、ＵＳＢメモリ３０の構成を示す図である。ＵＳＢメモリ３０は、ＵＳＢインタフェース３１（接続手段）と、記憶部３２（記憶手段）とから構成される。
【００１７】
ＵＢＳインタフェース３１は、アクセスポイント装置１０及びＰＣ２０乃至２２の有するＵＳＢ端子と接続するためのインタフェースである。
記憶部３２には、接続設定プログラム３２ａ（接続設定手段、固有識別子読込手段）、接続設定情報３２ｂ、ＭＡＣアドレス３２ｃが記憶される。接続設定プログラム３２ａは、ＰＣ２０で実行される制御プログラムにより作成され、ＵＳＢメモリ３０の有する記憶部３２に記憶される。接続設定情報３２ｂは、アクセスポイント装置１０でランダムに作成されたものであり、ＳＳＩＤ３２ｂ１及びＷＥＰキー３２ｂ２を含む。この接続設定情報３２ｂは、接続設定プログラム３２ａによりＰＣ２０乃至２２のＯＳの接続設定に反映させることで、アクセスポイント装置１０とＰＣ２０乃至２２との接続に使用される。尚、この接続設定情報３２ｂは、ＳＳＩＤ３２ｂ１及びＷＥＰキー３２ｂ２の他に、例えばサブネットマスク、デフォルトゲートウェイのＩＰアドレス、プロキシサーバのポート番号等の情報を含んでいても良い。
【００１８】
ＭＡＣアドレス３２ｃは、ＰＣ２０乃至ＰＣ２２の其々のＭＡＣアドレス３２ｃである。ＵＳＢインタフェース３１がＰＣ２０乃至ＰＣ２２に接続された際に、オートラン機能により実行される接続設定プログラム３２ａがＰＣ２０乃至ＰＣ２２の其々のＭＡＣアドレス３２ｃを読み込み、記憶部３２に記憶させる。このＭＡＣアドレス３２ｃは、ＵＳＢインタフェース３１によりアクセスポイント装置１０に接続された際に、アクセスポイント装置１０に登録される。アクセスポイント装置１０に当該ＭＡＣアドレス３２ｃが登録されることにより、ＰＣ２０乃至２２はアクセスポイント装置１０と無線通信を行うことができるようになる。この登録が行われなければ、アクセスポイント装置１０にはＭＡＣアドレスフィルタリング機能が働くため、ＰＣ２０乃至２２はアクセスポイント装置１０との無線通信を行うことができない。
【００１９】
続いて、ＰＣ２０にインストールされた制御プログラムの処理の流れについて図３を参照しながら説明する。図３は、ＰＣ２０を制御する制御プログラムによる接続設定プログラム３２ａをＵＳＢメモリ３０に読み込ませる処理の流れを示すフローチャートである。
【００２０】
制御プログラムは、まずＵＳＢメモリ３０がＰＣ２０の有するＵＳＢインタフェースに挿入されているか否かを調べる（Ｓ３０１）。ＵＳＢメモリ３０が挿入されていなければ（Ｓ３０１のＮｏ）、表示画面に「ＵＳＢメモリを挿入してください」とのメッセージを表示し（Ｓ３０２）、Ｓ３０１の処理へ戻る。
【００２１】
ＵＳＢメモリ３０が挿入されていれば（Ｓ３０１のＹｅｓ）、制御プログラムは接続設定プログラム３２ａを作成し（Ｓ３０３）、作成した接続設定プログラム３２ａをＵＳＢメモリ３０の記憶部３２に記憶させる（Ｓ３０４）。Ｓ３０３で言うところの接続設定プログラム３２ａの作成とは、例えば予め用意された接続設定プログラム３２ａを複製したり、ソースコード形式で有しているものを実行形式に変換したりといった方法で作成されるものである。
【００２２】
続いて、接続設定情報３２ｂをＵＳＢメモリ３０に記憶させる際のアクセスポイント装置１０の処理について、図４を参照しながら説明する。図４は、ＵＳＢメモリ３０に接続設定情報３２ｂをＵＳＢメモリ３０に記憶させる際のアクセスポイント装置１０の処理の流れを示すフローチャートである。
【００２３】
アクセスポイント装置１０は、アクセスポイント装置１０の有するＵＳＢインタフェースにＵＳＢメモリ３０が挿入されると（Ｓ４０１）、ＳＳＩＤ３２ｂ１及びＷＥＰキー３２ｂ２、即ち接続設定情報３２ｂを生成する。接続設定情報３２ｂは、生成する度に毎回異なるランダムなものが生成される。さらに、アクセスポイント装置１０は、生成した接続設定情報３２ｂを、ＵＳＢメモリ３０の有する記憶部３０に記憶させる。
【００２４】
さらに、接続設定プログラム３２ａ及び接続設定情報３２ｂが記憶されたＵＳＢメモリ３０をＰＣ２１に接続した際の処理の流れについて、図５を参照しながら説明する。図５は、ＵＳＢメモリ３０がＰＣ２１に接続された際の、ＰＣ２１の処理の流れを示すフローチャートである。尚、ＰＣ２０及びＰＣ２２も、ＰＣ２１と同様の処理を行うことにより、接続設定を行うことができる。
【００２５】
ＵＳＢメモリ３０がＰＣ２１有するＵＳＢインタフェースに挿入されると（Ｓ５０１）、ＰＣ２１にインストールされたＯＳの持つオートラン機能により、ＵＳＢメモリ３０の記憶部３２に記憶された接続設定プログラム３２ａを起動させる。尚、ＯＳがオートラン機能を有していない場合、或いはユーザがオートラン機能を無効化している場合には、ユーザが手動で接続設定プログラム３２ａを起動させても良い。
【００２６】
接続設定プログラム３２ａが起動すると、当該接続設定プログラム３２ａは、ＵＳＢメモリ３０の記憶部３２に記憶された接続設定情報３２ｂであるＳＳＩＤ３２ｂ１及びＷＥＰキー３２ｂ２を読み込み、ＯＳの接続設定に反映させる（Ｓ５０３）。さらに、接続設定プログラム３２ａは、ＰＣ２１に割り当てられたＭＡＣアドレス３２ｃを読み込み、ＵＳＢメモリ３０に記憶させる（Ｓ５０４）。
【００２７】
ＭＡＣアドレス３２ｃをＰＣ２１から読み込んだＵＳＢメモリ３０をアクセスポイント装置１０に接続した際の処理の流れについて、図６を参照しながら説明する。図６は、ＵＳＢメモリ３０が接続された際の、アクセスポイント装置１０の処理の流れを示すフローチャートである。
【００２８】
ＵＳＢメモリ３０が、アクセスポイント装置１０の有するＵＳＢインタフェースに挿入されると（Ｓ６０１）、アクセスポイント装置１０は、ＵＳＢメモリ３０の記憶部３２から、ＭＡＣアドレス３２ｃを読み込み、登録して、ＰＣ２１との無線通信が行えるようにする（Ｓ６０２）。さらに、アクセスポイント装置１０は、ＰＣ２１との接続処理を行い、ＰＣ２１との無線通信を開始する（Ｓ６０３）。
【００２９】
以上説明したように本実施例によれば、ユーザはＰＣ２１に特別なプログラムをインストールすることなく、特にＰＣ２１のオートラン機能が有効であればＵＳＢメモリ３０の抜き差しのみで容易に無線接続の設定を行うことができる。
【００３０】
また、ＵＳＢメモリ３０に記憶された接続設定プログラム３２ａが接続設定を行うので、ユーザによる入力ミス等を伴うこともなくなる。また、物理的にＵＳＢメモリ３０を介してＳＳＩＤやＷＥＰキーのやり取りを行うので、例えば無線通信によりＳＳＩＤやＷＥＰキーをやり取りする場合と比して、外部から盗取等をされる危険性が低い。
【００３１】
また本実施例によれば、アクセスポイント装置１０はＭＡＣアドレスフィルタリング機能を有しており、接続設定プログラム３２ａによりＵＳＢメモリ３０に記憶されたＭＡＣアドレス以外の機器からの無線接続を排除することができ、安全性が高い。更に本実施例では、暗号鍵であるＷＥＰキーにより無線通信を暗号化することができるので、この面でもセキュリティの向上に貢献している。
【００３２】
本実施例では、記憶媒体であるＵＳＢメモリ３０をアクセスポイント装置１０に接続する際にも、ＰＣ２０乃至２２に接続する際にも、同一のインタフェースであるＵＳＢインタフェース３１により接続を行うので、其々の装置に応じて多数のインタフェースを有する場合よりも簡易な構成とすることができる。
【００３３】
また、本実施例によれば、アクセスポイント装置１０が毎回ランダムにＳＳＩＤやＷＥＰキーを生成するので、同じＳＳＩＤやＷＥＰキーを使用する場合と比して、安全性が高い無線ＬＡＮシステムを提供することができる。
【００３４】
尚、本実施例では携帯型記憶媒体としてＵＳＢメモリ３０を例に説明を行ったが、本実施例に限られるものではなく、例えばＳＤカードや、フロッピー（登録商標）ディスク、ＣＤ−ＲＯＭ、ＤＶＤ、携帯型のＨＤＤ、ＩＣカード等であっても良い。
【図面の簡単な説明】
【００３５】
【図１】本発明の実施例１に係るＵＳＢメモリを使用する無線通信システムの概略構成を示す図。
【図２】本発明の実施例１に係るＵＳＢメモリの構成を示す図。
【図３】本発明の実施例１に係る制御プログラムがＵＳＢメモリに接続設定プログラムを記憶させる際の処理の流れを示すフローチャート。
【図４】本発明の実施例１に係るＵＳＢメモリを挿入した際のアクセスポイント装置の処理の流れを示すフローチャート。
【図５】本発明の実施例１に係るＵＳＢメモリを挿入した際のＰＣの処理の流れを示すフローチャート。
【図６】本発明の実施例１に係るＵＳＢメモリを挿入した際のアクセスポイント装置の処理の流れを示すフローチャート。
【符号の説明】
【００３６】
１０・・・アクセスポイント装置
２０、２１、２２・・・ＰＣ
３０・・・ＵＳＢメモリ
３１・・・ＵＳＢインタフェース
３２・・・記憶部
３２ａ・・・接続設定プログラム
３２ｂ・・・接続設定情報
３２ｂ１・・・ＳＳＩＤ
３２ｂ２・・・ＷＥＰキー
３２ｃ・・・ＭＡＣアドレス
【図１】
2006333103.tif 000003
【図２】
2006333103.tif 000004
【図３】
2006333103.tif 000005
【図４】
2006333103.tif 000006
【図５】
2006333103.tif 000007
【図６】
2006333103.tif 000008